(57)【要約】      （修正有）【課題】口腔内の乾燥の防止効果に優れるマスクを提供する。又、睡眠中の口腔内の乾燥の防止効果に優れるマスクを提供する。【解決手段】口を塞ぐ塞ぎ部材と、該塞ぎ部材に設けられ連通細孔を有する多孔質体から成る水分保持部とを備え、前記塞ぎ部材の長手方向に装着時に上下の唇の間に位置させられる突起が形成された口腔内乾燥防止用マスクであり、前記水分保持部が前記塞ぎ部材に着脱自在に内蔵された前記口腔内乾燥防止用マスクである。また、ネット部材を含んで成る帽子部と、少なくとも口を覆う塞ぎ部材と、後頭部に沿って回して該塞ぎ部材の下縁部と連結された架け渡し部材とを含んでなり、前記帽子部と前記塞ぎ部材とが連結された口腔内乾燥防止用マスクである。【選択図】図１
0003111884.tif 000002
【実用新案登録請求の範囲】
【請求項１】
口の少なくとも一部を塞ぎ横方向に長尺の塞ぎ部材と、該塞ぎ部材に設けられ連通細孔を有する多孔質体から成る水分保持部とを備え、前記塞ぎ部材の長手方向に装着時に少なくとも上下の唇の間に位置させられる突起が形成された口腔内乾燥防止用マスク。
【請求項２】
前記塞ぎ部材を着脱自在に収納する収納部を備え、該収納部の両端に、頭部及び／又は耳に架ける架け用長尺可撓性部材が設けられた請求項１に記載の口腔内乾燥防止用マスク。
【請求項３】
睡眠時に装着して用いるものであって、
頭部表面に密接して該表面を圧迫するように頭部に被されることとなるネット部材を含んで成る帽子部と、
少なくとも口を覆う塞ぎ部材と、
後頭部に沿って回して該塞ぎ部材の下縁部と連結された架け渡し部材と
を含んでなり、
前記帽子部と前記塞ぎ部材とが連結された口腔内乾燥防止用マスク。
【請求項４】
前記帽子部が前記ネット部材の一部分を纏めて一時的に把持し、該ネット部材の人体頭部を覆う部分の面積を減少させる把持手段を備え、該ネット部材の人体頭部を覆う部分の面積が調節可能とされた請求項３に記載の口腔内乾燥防止用マスク。
【請求項５】
前記ネット部材の周縁に弾性紐枠が備えられ、該ネット部材が前記塞ぎ部材に重畳されて、該弾性紐枠が自身の長手方向に沿って間歇的に配された結合部を介して該塞ぎ部材に結合された請求項３または４に記載の口腔内乾燥防止用マスク。
【請求項６】
前記結合部が前記塞ぎ部材の上縁部の両端部分それぞれに設けられた請求項５に記載の口腔内乾燥防止用マスク。
【請求項７】
前記架け渡し部材における、前記塞ぎ部材の下縁部の一の端部分から他の端部分に後頭部を経由して至る部分の中間に、前記弾性紐枠と前記架け渡し部材とを連結する連結部が設けられた請求項５または６に記載の口腔内乾燥防止用マスク。
【請求項８】
前記架け渡し部材が環状であり、前記塞ぎ部材の下縁部に沿って前記架け渡し部材を挿通させた挿通路が設けられた請求項３ないし７のいずれかに記載の口腔内乾燥防止用マスク。
【請求項９】
前記架け渡し部材が前記塞ぎ部材の下縁部の両端に架け渡される請求項３ないし７のいずれかに記載の口腔内乾燥防止用マスク。
【請求項１０】
前記塞ぎ部材が該塞ぎ部材を着脱自在に収納する収納部を備える請求項３ないし９のいずれかに記載の口腔内乾燥防止用マスク。
【請求項１１】
前記塞ぎ部材の長手方向に装着時に少なくとも上下の唇の間に位置させられる突起が形成された請求項３ないし１０のいずれかに記載の口腔内乾燥防止用マスク。
【請求項１２】
前記塞ぎ部材が連通細孔を有する多孔質体から成る水分保持部を備える請求項３ないし１１のいずれかに記載の口腔内乾燥防止用マスク。
【請求項１３】
前記水分保持部が前記塞ぎ部材に着脱自在に内蔵された請求項１または１２に記載の口腔内乾燥防止用マスク。
【請求項１４】
前記水分保持部に水分を供給する水分供給手段を備える請求項１、１２、１３のいずれかに記載の口腔内乾燥防止用マスク。
【請求項１５】
前記水分供給手段が、水を収納する容器と、該容器と前記水分保持部とを水分の移行可能に導通させる導通路とを備える請求項１、１２、１３、１４のいずれかに記載の口腔内乾燥防止用マスク。
【請求項１６】
前記導通路が前記容器の内部と外部とを毛細管現象で水分を移行させて導通させる導通路である請求項１５に記載の口腔内乾燥防止用マスク。
【請求項１７】
請求項１６に記載の前記口腔内乾燥防止用マスクに用いられるものであって、前記容器を含み、該容器の内部と外部とを毛細管現象で水分を移行させて導通させる導通路が形成された口腔内乾燥防止用マスク用水容器。
【考案の詳細な説明】
【技術分野】
【０００１】
本考案は、口腔内の乾燥が防止できるマスクに関する。
【背景技術】
【０００２】
低湿度時には口腔内が乾燥しやすい。又、口を開けたまま睡眠する性癖の者は、特に低湿度でなくとも睡眠時に口腔内が乾燥しやすい。口腔内の乾燥は通常のマスクの着用である程度緩和されることもあるが、防止効果は不充分である
【０００３】
又、睡眠時に口の中が乾燥することは高齢者を主体によくある現象であり、起床時に不快であるばかりか、カゼのウイルス等がその乾燥した部位に付着して感染するおそれもあり、対策が望まれている。又、睡眠中に上気道の機能が停滞しているときに、多くの高齢者は、のどがはりついた感じで苦しむことがある。夜中、わざわざ吸入器を使用するのも大変面倒である。
【０００４】
この対策として、マスクを装着して就眠することが行なわれるが、従来のぬれマスクは、マスクの左右両端に取付られた耳かけ紐を耳にかけて装着しており、睡眠時に容易に外れてしまう欠点があった。このような従来のぬれマスクの欠点を改良するものとして、マスクの一部に形成したポケットに保水性材料を格納するとともに、マスク装着用に設けられた二組のバンドが頭部の二ヶ所においてマスクを保持するようにしたマスクが開示されている。（例えば、特許文献１参照。）
【０００５】
しかし、バンドでマスクを保持しただけでは睡眠時に頭部の動きが激しい場合は外れてしまうという問題がある。
【０００６】
又、睡眠時に口呼吸が行なわれると、従来のマスクでは下あごが下がって口があく状態を防ぐことができず、口腔内の乾燥を防止できない。
なお、口の中は、口腔、鼻腔、上気道を含む口中の空洞を意味するが本明細書においては、「口腔内」がこの口の中を意味するものとする。
【特許文献１】特開２００３−３２５６８７号公報
【考案の開示】
【考案が解決しようとする課題】
【０００７】
本考案の目的は、口腔内の乾燥の防止効果に優れるマスクを提供することにある。
【０００８】
本考案の目的は、睡眠中の口腔内の乾燥の防止効果に優れるマスクを提供することにある。
【課題を解決するための手段】
【０００９】
本考案の要旨とするところは、口の少なくとも一部を塞ぎ横方向に長尺の塞ぎ部材と、該塞ぎ部材に設けられ連通細孔を有する多孔質体から成る水分保持部とを備え、前記塞ぎ部材の長手方向に装着時に少なくとも上下の唇の間に位置させられる突起が形成された口腔内乾燥防止用マスクであることにある。
【００１０】
前記口腔内乾燥防止用マスクは、前記塞ぎ部材を着脱自在に収納する収納部を備え得、該収納部の両端に、頭部及び／又は耳に架ける架け用長尺可撓性部材が設けられ得る。
【００１１】
また、本考案の要旨とするところは、睡眠時に装着して用いるものであって、
頭部表面に密接して該表面を圧迫するように頭部に被されることとなるネット部材を含んで成る帽子部と、
少なくとも口を覆う塞ぎ部材と、
後頭部に沿って回して該塞ぎ部材の下縁部と連結された架け渡し部材と
を含んでなり、
前記帽子部と前記塞ぎ部材とが連結された口腔内乾燥防止用マスクであることにある。
【００１２】
前記口腔内乾燥防止用マスクにおいては、前記帽子部が前記ネット部材の一部分を纏めて一時的に把持し得、該ネット部材の人体頭部を覆う部分の面積を減少させる把持手段を備え得、該ネット部材の人体頭部を覆う部分の面積が調節可能とされ得る。
【００１３】
前記口腔内乾燥防止用マスクにおいては、前記ネット部材の周縁に弾性紐枠が備えられ得、該ネット部材が前記塞ぎ部材に重畳されて、該弾性紐枠が自身の長手方向に沿って間歇的に配された結合部を介して該塞ぎ部材に結合され得る。
【００１４】
前記結合部は前記塞ぎ部材の上縁部の両端部分それぞれに設けられ得る。
【００１５】
前記口腔内乾燥防止用マスクにおいては、前記架け渡し部材における、前記塞ぎ部材の下縁部の一の端部分から他の端部分に後頭部を経由して至る部分の中間に、前記弾性紐枠と前記架け渡し部材とを連結する連結部が設けられ得る。
【００１６】
前記口腔内乾燥防止用マスクにおいては、前記架け渡し部材が環状であり得、前記塞ぎ部材の下縁部に沿って前記架け渡し部材を挿通させた挿通路が設けられ得る。
【００１７】
前記架け渡し部材は前記塞ぎ部材の下縁部の両端に架け渡され得る。
【００１８】
前記塞ぎ部材は該塞ぎ部材を着脱自在に収納する収納部を備え得る。
【００１９】
前記口腔内乾燥防止用マスクにおいては、前記塞ぎ部材の長手方向に装着時に少なくとも上下の唇の間に位置させられる突起が形成され得る。
【００２０】
前記塞ぎ部材は連通細孔を有する多孔質体から成る水分保持部を備え得る。
【００２１】
前記水分保持部は前記塞ぎ部材に着脱自在に内蔵され得る。
【００２２】
前記口腔内乾燥防止用マスクにおいては、前記水分保持部に水分を供給する水分供給手段を備え得る。
【００２３】
前記水分供給手段は、水を収納する容器と、該容器と前記水分保持部とを水分の移行可能に導通させる導通路とを備え得る。
【００２４】
前記導通路は、前記容器の内部と外部とを毛細管現象で水分を移行させて導通させる導通路であり得る。
【００２５】
さらに、本考案の要旨とするところは、前記口腔内乾燥防止用マスクに用いられるものであって、前記容器を含み、該容器の内部と外部とを毛細管現象で水分を移行させて導通させる導通路が形成された口腔内乾燥防止用マスク用水容器であることにある。
【考案の効果】
【００２６】
本考案により、口腔内の乾燥の防止効果に優れるマスクが提供される。
【００２７】
本考案により、睡眠中の口腔内の乾燥の防止効果に優れるマスクが提供される。
【００２８】
本考案によると、睡眠時に外れにくいマスクが提供される。
【００２９】
本考案によると、睡眠時に外れにくくかつ口を大きく開けたまま眠る状態を防止するマスクが提供される。
【考案を実施するための最良の形態】
【００３０】
本考案の口腔内乾燥防止用マスクの実施形態について、図面を使用して説明する。なお、本明細書においては、各図にわたって記される同じ符号は同一又は同様の部材やものを示す。図１に示すように、本考案の口腔内乾燥防止用マスク２は、口を少なくとも部分的に塞ぎ横方向に長尺の塞ぎ部材４と、塞ぎ部材４の両端それぞれに配された耳掛け紐６とを備える。塞ぎ部材４には、塞ぎ部材４の長手方向に装着時に口にくわえられるかあるいは唇の間に挿入され少なくとも上下の唇の間に位置させられる凸条状の突起８が形成されている。塞ぎ部材４は口を完全に封止するように装着されてもよいが、一部分唇との間に隙間ができるように装着されてもよい。又塞ぎ部材４は、一部分唇との間に隙間ができるように装着される、幅の狭い部材から成るものあるいは凹凸のあるものであってもよい。
【００３１】
図２（ａ）に示すように、口腔内乾燥防止用マスク２の装着状態では、凸条状の突起８が口にあてがわれて少なくとも上下の唇の間に、好ましくは上下の歯の間に挿入される。
【００３２】
塞ぎ部材の断面形状は図２（ｂ）に示す塞ぎ部材４ｈのように楕円形であってもよい。塞ぎ部材４ｈの凸条状の突起８ｈは楕円形の最大曲率の部分を構成する。塞ぎ部材の断面形状は略卵形であってもよい。この場合、卵形の最大曲率の部分が凸条状の突起を構成する。塞ぎ部材の断面形状は略円形であってもよい。この場合は円形の半円部が凸条状の突起を構成する。
【００３３】
本考案の他の態様においては、図３（ａ）に示す口腔内乾燥防止用マスク２ｄのように、塞ぎ部材が上下少なくとも片側の縁に内がわ（口腔内乾燥防止用マスク２ｄの装着時の口に面するがわ）に向けて張り出す庇部１９が設けられてもよい。庇部１９が唇まわりの外側面に当接して口腔内の湿気が口の外に漏れることを防げ、口腔内の乾燥の防止効果が高まる。図３（ｂ）は図３（ａ）に示す塞ぎ部材が口に装着された状態を示す。
【００３４】
塞ぎ部材４は、凸条状の突起８を含めて連通細孔を有する多孔質体から成り、この多孔質体に呼気の水分や他から導入された水分が含まれて、水分保持部１２となっている。
【００３５】
塞ぎ部材４は、あるいは、図４（ａ）に示すように、凸条状の突起８の部分のみが連通細孔を有する多孔質体から成り水分保持部１２ａを構成し、他の長尺部分１０が非通気性のシート部材あるいは粗い目のネット部材から構成されていてもよい。あるいは、図４（ｂ）に示すように、逆に他の長尺部分１０のみが連通細孔を有する多孔質体から成り水分保持部１２ｂを構成し、凸条状の突起８の部分が板部材、非通気性のシート部材あるいは粗い目のネット部材から構成されていてもよい。
【００３６】
連通細孔を有する多孔質体としてはフェルト状の繊維集合体、樹脂製スポンジ、海綿体を含んで構成された板状体、ガーゼ等の布を多層に重畳して縫合したもの等が挙げられるが、連通細孔を有して水分保持能を有するものであればこれらに限定されない。
【００３７】
凸条状の突起８が口にくわえられることにより、日常使用においても、睡眠時の使用においては特に、口腔内乾燥防止用マスク２が確実に口に確保され、水分保持部１２（１２ａ、１２ｂ）に保持された水分が確実に口腔内に作用して口腔内の乾燥が防止される。更に、口にくわえられた凸条状の突起８が口腔内を刺激して唾液の分泌を促し、口腔内の乾燥が防止される。
【００３８】
又、本考案の更に他の態様においては、図５に示すように、口腔内乾燥防止用マスク２ｘが、塞ぎ部材４を着脱自在に収納する横方向に長尺で両端に耳掛け紐６が設けられた略袋状の収納部７０を備えてもよい。収納部７０は内側面が塞ぎ部材４の外側面と略相似で相似比が１に近い形状で、塞ぎ部材４を覆って収納する。但し、収納部７０は、塞ぎ部材４が収納された状態で凸条状の突起８の少なくとも口にくわえられる部分は収納部７０の外部に露出している構造となっていて、収納部７０に塞ぎ部材４が収納された状態で口腔内乾燥防止用マスク２ｘが人に装着される。収納部７０は目の粗いネット、ガーゼ等の通気性のよいシート状物を素材として作られることが好ましい。収納部７０が目の粗いネット、ガーゼ等の通気性のよいシート状物を素材として作られる場合は、凸条状の突起８の口にくわえられる部分が収納部７０の外部に露出せずに、そのシート状物で覆われて、そのシート状物ごと口にくわえられる態様であってもよい。
【００３９】
口腔内乾燥防止用マスク２ｘは、使用後に塞ぎ部材４を収納部７０から取り出して塞ぎ部材４のみを洗濯することができる。又、使い古した塞ぎ部材４のみを新品と交換できる。あるいは、使用する人や状況に応じて形状等の異なる各種のタイプの塞ぎ部材を交換して使用することが出来る。
【００４０】
本考案の更に他の態様においては、図６（ａ）に示すように、塞ぎ部材４ｓの凸条状の突起８ｓが口に挿入される幅のものであってもよい。図６（ｂ）に示すように凸条状の突起８ｓは口のかなり奥まで挿入できるので、睡眠時にも極めて確実に口腔中に保持され、かつ、凸条状の突起８ｓが連通細孔を有する多孔質体から成り水分保持部を構成している場合にはより確実に水分が口腔内に水分が供給されて口腔内の乾燥が防止される。凸条状の突起は図６（ｃ）に示す塞ぎ部材４ｔのように平面視台形の凸条状の突起８ｔであってもよい。
【００４１】
本発明の口腔内乾燥防止用マスク（２など）を睡眠時に装着する場合は、架け用長尺可撓性部材から成る、図７に示す、耳掛け紐６や頭頂部頭掛け紐５６−１や、後頭部頭掛け紐５６−２や、首掛け紐５６−３を用いて装着を確実なものにすることが好ましい。例えば、図７（ａ）に示すように、耳掛け紐６を耳に掛ける以外に、頭頂部頭掛け紐５６−１及び／又は後頭部頭掛け紐５６−２を頭部に巻きまわして、左右の耳掛け紐６を、頭頂部頭掛け紐５６−１や後頭部頭掛け紐５６−２を介して連結することが好ましい。頭頂部頭掛け紐５６−１や後頭部頭掛け紐５６−２は耳の前がわで耳掛け紐６と連結されていることが好ましい。頭頂部頭掛け紐５６−１や後頭部頭掛け紐５６−２は通常の紐でもよいがゴムひもや輪ゴムのような弾性紐から成ることが好ましい。あるいは、図７（ｂ）に示すように、耳掛け紐６を耳に掛ける以外に、ゴムひもや輪ゴムのような弾性紐５０を後頭部の耳の後ろに当たる位置で巻きまわして、左右の耳掛け紐６を耳の後ろがわで弾性紐５０で連結する（図７（ｂ））ことが好ましい。図７に示す態様より、睡眠時の無意識な動きによる塞ぎ部材（４など）のずれが防止される。耳掛け紐６も弾性紐であることが好ましい。
【００４２】
更に、図７（ｃ）に示すように、頭頂部頭掛け紐５６−１及び／又は後頭部頭掛け紐５６−２を頭部に巻きまわして、頭頂部頭掛け紐５６−１を塞ぎ部材４の端部と連結し、かつ、首掛け紐５６−３を後頭部の下方あるいは首の後ろに巻き回す態様であってもよい。あるいは、図７（ｄ）に示すように、頭頂部頭掛け紐５６−１及び／又は後頭部頭掛け紐５６−２を頭部に巻きまわして、頭頂部頭掛け紐５６−１を塞ぎ部材４の端部と連結し、かつ、首掛け紐５６−３を後頭部の下方あるいは首の後ろに巻き回し、同時に耳掛け紐６を耳に掛ける態様であってもよい。
【００４３】
又、本考案においては、図８に示す口腔内乾燥防止用マスク２ａのように、水分保持部１２ｃが袋筒状部１４を備える塞ぎ部材４ａの中空部に内蔵されていてもよい。水分保持部１２ｃは塞ぎ部材４ａから着脱自在となっていて交換が可能であることが好ましい。
【００４４】
本考案においては、水分保持部１２などの水分保持部に積極的に水分を供給する水分供給手段が備えられることが好ましい。これにより確実に水分が水分保持部に保持されて口腔内にその水分が供給されて口腔内の乾燥が防止される。
【００４５】
図９、図１０に水分供給手段の態様の一例を示す。図９に示す口腔内乾燥防止用マスク２ｂにおいて、水分保持部１２ｄが袋筒状の塞ぎ部材４ａの周壁及び凸条状の突起８を構成する連通細孔を有する多孔質体で構成されている。水分供給手段１８は、水２１を収納する容器２０と、容器２０と水分保持部１２ｄとを水分の移行可能に導通させる導通路２２とを備え、袋筒状の塞ぎ部材４ａの中空部に着脱可能に内蔵されている。図１０は水分供給手段１８の拡大図である。符号２３は容器２０のねじり蓋である。
【００４６】
導通路２２は容器２０の周壁を貫通させた糸２６から成る。糸２６は容器２０の内部と外部とを、毛細管現象で水分を移行させて導通させる。これにより、容器２０内の水２１が糸２６を介して水分保持部１２ｄにコンスタントに導入される。複数の糸２６がそれぞれ容器２０の周壁を貫通した態様であってもよい。１の糸２６が容器２０を貫通し、容器２０の外部から容器２０の一の周壁を貫通して容器２０の内部に入り、他の周壁を貫通して容器２０外部にぬける構成であってもよい。
【００４７】
図１１の口腔内乾燥防止用マスク２ａａに示すように、塞ぎ部材４ａａが開閉自在の蓋２５を備え水分供給手段１８を収納する袋体状のものであってもよい。符号２９は蓋２５を係止する係止子である。水分供給手段１８は水分保持部１２ｃ（図８）に内蔵されていてもよい。
【００４８】
塞ぎ部材４ａのような塞ぎ部材に内蔵される水分供給手段の他の態様として水分供給手段１８ａを図１２に示す。水分供給手段１８ａは、２個の容器２０ａが糸２６を介して連結され、各容器２０ａの周壁を糸２６が直列上に貫通している。
【００４９】
塞ぎ部材に内蔵される水分供給手段の更に他の態様として水分供給手段１８ｂを図１３に示す。水分供給手段１８ｂは、容器２０ｂの周壁に導通路２２ｂとして内径０．５ｍｍ程度の細管３４が設けられていて、細管３４の出口縁を水分保持部１２などの水分保持部に接触させておくことにより、容器２０ｂ内の水が細管３４を介して毛細管現象で水分保持部にコンスタントに導入される。
【００５０】
塞ぎ部材に内蔵される水分供給手段の更に他の態様として水分供給手段１８ｃを図１４に示す。水分供給手段１８ｃは、容器２０ｃの周壁に導通路２２ｃとして径０．５ｍｍ程度の細孔３０が設けられていて、細孔３０の出口縁を水分保持部１２などの水分保持部に接触させておくことにより、容器２０ｃ内の水が細孔３０を介して毛細管現象で水分保持部にコンスタントに導入される。
【００５１】
塞ぎ部材に内蔵される水分供給手段の又更に他の態様として水分供給手段１８ｄを図１５に示す。水分供給手段１８ｄは、容器２０ｄの周壁の一部又は全体が連通細孔を有する多孔質体あるいはポリビニル系樹脂のような透水性樹脂から成る透水性遮蔽板３２で構成され導通路２２ｄとなっている。遮蔽板３２の外面を水分保持部１２などの水分保持部に接触させておくことにより、容器２０ｄの水が透水性遮蔽板３２を介して水分保持部にコンスタントに浸入する。
【００５２】
水分供給手段を構成する容器２０のような容器は、塞ぎ部材の外側に塞ぎ部材に固定して設けられてもよい。あるいは図１６に示す水分供給手段１８ｅのように、容器２０ｐが塞ぎ部材４ｐと離れた位置に設置され、水供給管５４を介して水が塞ぎ部材４ｐに供給されてもよい。水供給管５４は、塞ぎ部材４ｐがわの端部に着脱自在のコネクタ５６を介在させておくことが好ましい。これにより、就寝時にコネクタ５６により水供給管５４の上流がわと下流がわとを接続して使用することが出来る。この態様は容器２０ｐの容量を大きくすることができる。容器２０ｐと水供給管５４の間には、医療用の点滴具に準じた点滴機構が設けられて所定の流量が塞ぎ部材４ｐに供給されてもよい。
【００５３】
容器２０のような容器はポリエチレン等の汎用の樹脂製であることが軽量かつ製造が容易で好ましいが、素材は金属やセラミックスであってもよく、樹脂製に限定されない。
【００５４】
本考案の口腔内乾燥防止用マスクの態様の他の一例においては、図１７に示すように、口腔内乾燥防止用マスク１は、ネット部材から構成され人体頭部１０２に被されて頭部１０２の表面に密接して装着される帽子部１０４と、口あるいは口とあごとを覆う塞ぎ部材１０８と、後頭部もしくは首のうしろがわに沿って回して塞ぎ部材１０８の両端に架け渡される架け渡し部材１１０とを含んでなり、帽子部１０４の前縁部と塞ぎ部材１０８の上縁部が連結された構成となっている。なお、架け渡し部材１１０は後頭部もしくは後頭部に近い首のうしろがわに沿って回されるが、後頭部と首のうしろがわとの境は明確でないので本明細書においては、後頭部と、後頭部に近い首のうしろがわとをあわせて後頭部と称する。
【００５５】
帽子部１０４はネット部材が伸長された状態で頭部の表面に密接して頭部を覆う。これにより密接する部分の頭部表面が圧迫され、頭部に万遍なくネット部材によるしめつけが生じて、睡眠時に帽子部１０４が頭部からはずれたりずれたりすることは極めて少なく、従って、帽子部１０４に連結されている塞ぎ部材１０８は、睡眠時に口から外れることが極めて少ない。又、架け渡し部材１１０が後頭部に沿って回されて塞ぎ部材１０８の両端に架け渡されるので塞ぎ部材１０８は口あるいは口とあごに装着された状態で更に確実に固定される。帽子部１０４はネット部材から成ることが好ましいが、帽子部１０４の頭部を締め付ける主要部分がネット部材から構成されていてもよい。
【００５６】
ネット部材はひと目が０．５〜３ｃｍほどのネットから成るものであることが好ましい。ネットの素材である糸条は通常のスパン糸やフィラメント糸であってもよいが、伸縮性の加工糸や、ポリウレタン糸やゴム糸を含む弾性糸であることが、ネット部材の伸縮性が大きくなり、確実に頭部を保持できて好ましい。ネットは網組織で面を形成したものが好ましいが、編組織で面を形成したものでもよい。伸縮性は伸長されたときに弾性的に回復する回復能を有する性質をいう。
【００５７】
架け渡し部材１１０は例えば紐あるいはバンドから成ることが好ましい。又、架け渡し部材１１０は必ずしも伸縮性を有するものでなくともよいが伸縮性を有することが好ましい。又、公知の長さ調節手段を備えていてもよい。架け渡し部材１１０はループ状に塞ぎ部材１０８の両端に架け渡されていてもよい。あるいは、２個の部材から成り後頭部又は塞ぎ部材１０８の一端近傍で接合されるように面ファスナーのような接合手段を備えていてもよい。架け渡し部材１１０が紐である場合は後頭部で結んで架け渡す態様であってもよい。
【００５８】
本考案においては、図１７に示すように、塞ぎ部材１０８が塞ぎ部材が口とあごとを覆うサイズを有し、口とあごとを覆う態様であることが好ましい。塞ぎ部材の下縁部１６があごを覆うことにより、架け渡し部材１１０が後頭部に回されて架けられたときに、下縁部１１６にあごを引き上げる力が生じて、睡眠時に無意識に口が開いたままになることが防止され、より確実に口腔内の乾燥が防止される。なお、睡眠時に無意識に口が開いたままになることを積極的に防止する必要のない場合の使用においては、塞ぎ部材１０８が口を覆うサイズを有していればよい。
【００５９】
塞ぎ部材１０８は例えば布で作られるが、口に当接する部分の厚みを例えば２〜３ｃｍと厚くし、下縁部１１６の部分の厚みを、その８が口に当接する部分よりうすい例えば１〜２ｍｍとくしておくと、口腔内乾燥防止用マスク１０１を装着したときに下縁部１１６が確実にあごを保持して引き上げることになるので好ましい。
【００６０】
塞ぎ部材１０８は横幅１５〜２０ｃｍ、縦幅１２〜１４ｃｍほどの四角形状であることが好ましい。下縁部１１６は縦幅６〜７ｃｍであることが好ましい。
【００６１】
本考案においては、帽子部１０４がネット部材の一部分を纏めて一時的に把持し、このネット部材の人体頭部を覆う部分の面積を減少させる把持手段１４０を備え、この伸縮性ネット部材の人体頭部を覆う部分の面積が調節可能とされていることが好ましい。把持手段１４０は、例えば、図１８に示すように、両端部に面ファスナー部材１４４を配した帯１４２から成る。帯１４２の中央部１４３がネット部材１４５に固定されていて、ネット部材１４５を帯１４２が固定された部分で窄めて纏めたのち、帯１４２を環状にしてその纏めた部分を括って面ファスナー部材１４４を介して帯１４２を環状に固定する。これにより、ネット部材が窄んで頭部表面を締め付ける状態が保持されるので、帽子部１０４が頭部表面を万遍なく確実に圧迫し、頭部に保持されて、睡眠時に頭部から口腔内乾燥防止用マスク１０１が外れることが殆んどない。把持手段１４０の他の一例としては紐から成るものが挙げられる。紐の中央部がネット部材に固定されていて、ネット部材をその紐が固定された部分で窄めて纏めたのち、その紐で括ってもよい。
【００６２】
又、図１９に示すように、塞ぎ部材１０８に、水分保持部１１８が備えられていてもよい。水分保持部１１８は連通細孔を有する多孔質体から成り、例えば塞ぎ部材１０８に設けられたポケット１２０に着脱自在に内蔵される。あるいは、塞ぎ部材１０８の少なくとも一部がタオル地のような連通細孔を有する多孔質体から成る構成であってもよい。
【００６３】
連通細孔を有する多孔質体としてはフェルト状の繊維集合体、樹脂製スポンジ、海綿体、水苔、ガーゼ等の布を多層に重畳して縫合したもの等が挙げられるが、連通細孔を有して水分保持能を有するものであればこれらに限定されない。
【００６４】
更に、ポケット１２０内に、水分保持部１１８に水分を供給する例えば図１０に示すような水分供給手段が備えられていてもよい。
【００６５】
本考案の又更に他の態様においては、図２０に示す口腔内乾燥防止用マスク１０１ａのように、塞ぎ部材１０８ａの片面にネット部材１５０が配された構成であってもよい。ネット部材１５０は、その外周の形状とサイズが塞ぎ部材１０８ａの外周の形状とサイズと略同じとされている。ネット部材１５０は塞ぎ部材１０８ａの口と当接するがわの面５２に重畳されて、ネット部材１５０の外周縁部が塞ぎ部材１０８ａの外周縁部に固定されている。
【００６６】
ネット部材１５０の外周縁には外周縁を一巡する環状の弾性紐枠１６２が配され、弾性紐枠１６２は塞ぎ部材１０８ａに結合部１６３を介して結合されている。結合部１６３は弾性紐枠１６２の長手方向に沿って間歇的に配されている。ネット部材１５０の縁部が弾性紐枠１６２と周方向に沿って係合又は連結している。このような構成の口腔内乾燥防止用マスク１０１ａは、ネット部材１５０と塞ぎ部材１０８ａの間に頭部を挿入して装着される。頭部の挿入によりネット部材１５０及び弾性紐枠１６２が弾性的に変形し、ネット部材１５０が頭部を覆って帽子部が形成される。
【００６７】
塞ぎ部材１０８ａの口と当接するがわの面５２と反対がわの面１５４には、不図示の水分保持部を着脱自在に収納する収納部１５６が設けられている。収納部１５６は例えばチャック１６０を有するポケット１５８から成る。
【００６８】
塞ぎ部材１０８ａの下縁部１１６ａは、口腔内乾燥防止用マスク１０１ａが装着されたときにあごを覆う部分である。塞ぎ部材１０８ａの下縁１６４には架け渡し部材１１０ａが配されている。架け渡し部材１１０ａはバンド１７０から成り、両端それぞれで塞ぎ部材１０８ａの両下隅１６５、１６５で塞ぎ部材１０８ａに固定され、長さ調整手段１６８を備える。架け渡し部材１１０ａが塞ぎ部材１０８ａの両下隅１６５、１６５に一端を結合した一対の紐から成り、結んで締結する態様であってもよい。
【００６９】
図２０に示す態様は、非使用時には１枚の四角なシートの形状となり、携帯や収納に便利である。
【００７０】
本考案の又更に他の態様においては、図２０に示す口腔内乾燥防止用マスク１０１ａにおける塞ぎ部材１０８ａの上縁中央に切り欠き部１９０が形成された、図２１に示す口腔内乾燥防止用マスク１０１ｂが開示される。口腔内乾燥防止用マスク１０１ｂは、装着された状態で切り欠き部１９０の部分に鼻の穴の出口近傍を位置させることができるので、鼻呼吸が容易になる。又、切り欠き部１９０の両端部に弾性紐枠１６２との結合部１６３ａを設けることにより、目をよけてネットを装着しかつ装着された状態で頭部の締め付けが確実になり好ましい。
【００７１】
本考案の別の態様においては、図２２の口腔内乾燥防止用マスク１０１ｃに示すように、塞ぎ部材１０８ｂが、装着されたとき唇が接する区域内に凸条状の突起１８０を備えていてもよい。突起１８０は塞ぎ部材１０８ｂの中央部に横向きに取り付けられ、サイズは横方向の長さ３ｃｍ程度、幅５ｍｍ程度、厚み３ｍｍ程度である。突起１８０は、口腔内乾燥防止用マスク１０１ｂが装着されたとき、上下の唇１８２に挟まれて咥えられる位置に配置される。睡眠時に凸条１８０が咥えられることにより、無意識に舌をのばして凸条１８０を舐めたり唇１８２で咥えたりすることにより、唾液が分泌されやすくなる。又、この分泌された唾液が嚥下されることにより口腔内の乾燥防止に寄与する。
【００７２】
本考案の更に別の態様においては、図２３の口腔内乾燥防止用マスク１０１ｄに示すように、塞ぎ部材１０８ｂが、装着されたとき唇が接する区域内に片状の突起１８０ａを備えていてもよい。突起１８０ａは塞ぎ部材１０８ｂの中央部に横向きに取り付けられ、サイズは横方向の長さ２ｃｍ程度、突出方向の長さ２ｃｍ程度、厚み０．１〜１ｍｍ程度である。突起１８０ａは、口腔内乾燥防止用マスク１０１ｂが装着されたとき、上下の唇１８２に挟まれて咥えられる位置に配置される。睡眠時に一時的に目がさめたときに凸条１８０が咥えられしゃぶられることにより、唾液が分泌されやすくなり、口腔内の乾燥防止に寄与する。又、分泌された唾液が嚥下されることによりのどの乾燥状態が解消する。突起１８０ａはフィルムあるいは布のような可撓性の部材で作られている。
【００７３】
嚥下は、上気道で強力な自浄作用を発揮し、のどかぜをひく部分を直接洗い流すと同時に、周囲組織や鼻咽喉に飛躍的なメカニカルストレスを与え、組織を活性化させる。その運動エネルギーが熱エネルギーに変換され細胞活動を著しく復活する。嚥下は、高度な免疫作用を併せ持つ運動である。夜間、嚥下が停止してしまうと、上気道組織の免疫力が停滞し、かぜ症状が進みやすくなる。夜間はのどが動かされないから、かぜが進んで炎症が起きていてもその痛みを感じない。朝、目覚めとともに起こる嚥下で、のどの痛み等でかぜに気付く。
【００７４】
凸条は、口腔内を刺激して唾液が自然に出やすくして、口腔内乾燥の防止に有効であるが、凸条が常時口腔内を刺激して唾液が出続けると安眠が妨げられるので、塞ぎ部材１０８ｂの突起１８０ａの根元近傍に、不使用時に突起１８０ａの先端部を挿入して収納するポケットが設けられていることが好ましい。突起１８０ａが片状であれば、厚みも薄いので、突起１８０ａの根元近傍にポケットを配して用が終われば、ポケットの穴に突起１８０ａを差し込んで突起１８０ａをポケットに収納できるようにしておくことが好ましい。朝までの睡眠中に、口腔内乾燥のひどい人は夜中に習慣的に１〜２度目覚めてしまう場合が多い。そのようなとき、突起１８０ａをポケットから出して暫く口に含むと唾液が自然に出やすくなり、覚醒時なので嚥下を行なうことも可能で、その結果、口腔内乾燥の緩和につながる。
【００７５】
本考案の更に別の態様においては、図２４に示す口腔内乾燥防止用マスク１０１ｅが開示される。口腔内乾燥防止用マスク１０１ｅは帽子部１０４と、口とあごとを覆う塞ぎ部材１０８ｃと、後頭部もしくは首のうしろがわに沿って回される紐状の架け渡し部材１１０ｃとを備える。塞ぎ部材１０８ｃの下縁部２００に沿って架け渡し部材１１０ｃを挿通させた挿通路２０２が設けられる。挿通路２０２は例えば塞ぎ部材１０８ｃを構成する布の下辺部を折り曲げて筒状に縫合して形成される。架け渡し部材１１０ｃには、塞ぎ部材１０８ｃの下縁部の一の端部分から他の端部分に後頭部を経由して至る部分の中間に、弾性紐枠１６２と架け渡し部材１１０ｃとを連結する連結部２０４が設けられている。
【００７６】
塞ぎ部材１０８ｃと弾性紐枠１６２とは結合部１６３ｃを介して結合されている。結合部１６３ｃは、上縁部の両端部分それぞれに設けられている。
図２５にネット部材１５０と弾性紐枠１６２とから構成される帽子部１０４を示す。
【００７７】
図２６に口腔内乾燥防止用マスク１０１ｅが装着された状態を示す。この装着状態においては、連結部２０４が後頭部のほぼ真後ろに位置することとなる。弾性紐枠１６２、ネット部材１５０、架け渡し部材１１０ｃ、塞ぎ部材１０８ｃが、図２６に示す配置で頭部を囲んで緊縛するこの装着状態により、塞ぎ部材１０８ｃが確実に口とあごとを覆って保持され、睡眠中の無意識の顔の動きによっても、塞ぎ部材１０８ｃが口からはずれることがほとんどない。
【００７８】
架け渡し部材１１０ｃの材質は特に限定されないが弾性紐であることが口腔内乾燥防止用マスク１０１ｅの装着を確実にして好ましい。図２７に示すように、弾性紐からなる架け渡し部材１１０ｄが挿通路２０２に２重の輪をなすように２重に挿通されることが架け渡し部材１１０ｄの弾性力による塞ぎ部材１０８ｃの緊張固定を確実にして好ましい。架け渡し部材１１０ｄの両端部は互いに自身の長手方向に沿うようにそろえられて、結合部材２０６を介して互いに固定される。結合部材２０６は、自身の長手方向に沿うようにそろえられた架け渡し部材１１０ｄの両端部を嵌入させて固定する筒状子２０８からなるものであるが、架け渡し部材１１０ｄの両端部を互いに固定する機能を有するものであれば機構は問わない。結合部材２０６を用いずに、架け渡し部材１１０ｄの両端部を結んで互いに固定してもよい。図２７に示す態様においては、筒状子２０８を架け渡し部材１１０ｄの長手方向に移動させることにより輪の周長を調節できる。
【００７９】
連結部２０４は図２７に示す態様においては、リング２１２から構成されているが、弾性紐枠１６２と架け渡し部材１１０ｄとを連結する機能を有するものであれば機構は問わない。紐状物で弾性紐枠１６２と架け渡し部材１１０ｄとをしばって連結してもよい。安全ピンで弾性紐枠１６２と架け渡し部材１１０ｄとを連結してもよい。
【００８０】
塞ぎ部材１０８ｃには、この塞ぎ部材を着脱自在に収納する収納部が備えられてもよい。また、塞ぎ部材１０８ｃは、装着時に少なくとも上下の唇の間に位置させられる突起が形成されてもよい。あるいはまた、塞ぎ部材１０８ｃは、連通細孔を有する多孔質体から成る水分保持部を備えてもよい。この水分保持部はこの塞ぎ部材に着脱自在に内蔵されてもよい。
【００８１】
又、本考案において用いられる塞ぎ部材は綿のガーゼを素材としてもよいが、少なくとも唇や肌に接する面にシルク製の布地が配されていることが、使用感が良好で、快適な安眠が得られ好ましい。シルク製の布地は、柔軟で適度な吸水性をそなえかつ弾力があり、装着状態でべとつかず、サラッとしてかつ柔らかい感触が得られ好ましい。例えば、綿のタオル地や海綿を主体とする塞ぎ部材本体にシルク製の布地をがわ地として被覆して塞ぎ部材とすることが好ましい。
【００８２】
その他、本考案は、主旨を逸脱しない範囲で当業者の知識に基づき種々なる改良、修正、変更を加えた態様で実施できるものである。
【図面の簡単な説明】
【００８３】
【図１】本考案の口腔内乾燥防止用マスクの態様の一例の構成を示す斜視模式図である。
【図２（ａ）】本考案の口腔内乾燥防止用マスクの装着状態を示す側面模式図である。
【図２（ｂ）】図２（ａ）に示す口腔内乾燥防止用マスクとは異なる形状の本考案の口腔内乾燥防止用マスクの装着状態を示す側面模式図である。
【図３】図３（ａ）は本考案の口腔内乾燥防止用マスクに用いられる塞ぎ部材の別の態様の一例を示す斜視模式図であり、図３（ｂ）は図３（ａ）に示す塞ぎ部材が口に装着された状態を示す側面模式図である。
【図４】本考案の口腔内乾燥防止用マスクに用いられる塞ぎ部材の態様の一例を示す断面模式図である。
【図５】本考案の口腔内乾燥防止用マスクの別の態様の一例の構成を示す斜視模式図である。
【図６】図６（ａ）は本考案の口腔内乾燥防止用マスクに用いられる塞ぎ部材の他の態様の一例を示す斜視模式図であり、図６（ｂ）は図６（ａ）に示す塞ぎ部材が口にけわえられた状態を示す側面模式図であり、図６（ｂ）は図６（ａ）とは異なる態様の塞ぎ部材の一例を示す斜視模式図である。
【図７（ａ）】本発明の口腔内乾燥防止用マスクの装着の態様の一例を示す一部透視説明図である。
【図７（ｂ）】本発明の口腔内乾燥防止用マスクの装着の他の態様の一例を示す一部透視説明図である。
【図７（ｃ）】本発明の口腔内乾燥防止用マスクの装着の別の態様の一例を示す一部透視説明図である。
【図７（ｄ）】本発明の口腔内乾燥防止用マスクの装着の更に別の態様の一例を示す一部透視説明図である。
【図８】本考案の口腔内乾燥防止用マスクの更に他の態様の一例の構成を示す斜視模式図である。
【図９】本考案の口腔内乾燥防止用マスクに用いられる水分供給手段の態様の一例を示す斜視模式図である。
【図１０】図９に示す水分供給手段の拡大図である。
【図１１】本考案の口腔内乾燥防止用マスクの又更に他の態様の一例の構成を示す斜視模式図である。
【図１２】本考案の口腔内乾燥防止用マスクに用いられる水分供給手段の他の態様の一例を示す斜視模式図である。
【図１３】本考案の口腔内乾燥防止用マスクに用いられる水分供給手段の更に他の態様の一例を示す断面模式図である。
【図１４】本考案の口腔内乾燥防止用マスクに用いられる水分供給手段の又更に他の態様の一例を示す要部断面模式図である。
【図１５】本考案の口腔内乾燥防止用マスクに用いられる水分供給手段の図１４とは異なる態様の一例を示す要部断面模式図である。
【図１６】本考案の口腔内乾燥防止用マスクに用いられる水分供給手段の図１４とは更に異なる態様の一例を示す説明模式図である。
【図１７】本考案の口腔内乾燥防止用マスクの構成の他の一例を示す斜視模式図である。
【図１８】本考案の口腔内乾燥防止用マスクに用いられる把持手段の一例を示す模式図である。
【図１９】本考案の口腔内乾燥防止用マスクの他の態様の一例の構成を示す斜視模式図である。
【図２０】本考案の口腔内乾燥防止用マスクの更に他の態様の一例の構成を示す斜視模式図であり、図２０（ａ）は外側（口に当接するがわと反対のがわ）からみた図、図２０（ｂ）は内側（口に当接するがわ）からみた図である。
【図２１】本考案の口腔内乾燥防止用マスクの又更に他の態様の一例の構成を示す斜視模式図であり、図２１（ａ）は外側（口に当接するがわと反対のがわ）からみた図、図２１（ｂ）は内側（口に当接するがわ）からみた図である。
【図２２】本考案の口腔内乾燥防止用マスクの更に別の態様の一例の構成を示し、図２２（ａ）は口に当接するがわからみた正面模式図、図２２（ｂ）は側面模式図である。
【図２３】本考案の口腔内乾燥防止用マスクの又更に別の態様の一例の構成を示し、図２３（ａ）は口に当接するがわからみた正面模式図、図２３（ｂ）は側面模式図である。
【図２４】本考案の口腔内乾燥防止用マスクの更に又別の態様の一例の構成を示す斜視模式図である。
【図２５】本考案の口腔内乾燥防止用マスクに用いられる帽子部の態様の一例の構成を示す斜視模式図である。
【図２６】本考案の口腔内乾燥防止用マスクが装着された状態を示す説明図である。
【図２７】本考案の口腔内乾燥防止用マスクにおいて、架け渡し部材が挿通路２重の輪をなすよう挿通された態様を示す模式図である。
【符号の説明】
【００８４】
２、２ａ、２ｂ、２ｄ、２ｘ、２ａａ、１０１、１０１ａ、１０１ｂ、１０１ｃ、１０１ｄ、１０１ｄ：口腔内乾燥防止用マスク
４、４ａ、４ｄ、４ｈ、４ｓ、４ｔ、４ｐ、４ａａ、１０８、１０８ａ、１０８ｂ、１０８ｃ：塞ぎ部材
６：耳掛け紐
８、８ｈ、８ｓ、８ｔ：凸条
１２、１２ａ、１２ｂ、１２ｃ、１２ｄ、１１８：水分保持部
１８、１８ａ、１８ｂ、１８ｃ、１８ｄ、１８ｅ：水分供給手段
２０：容器
２２，２２ｂ、２２ｃ、２２ｄ：導通路
２６：糸
７０：収納部
１０４：帽子部
１１０、１１０ｃ、１１０ｄ：架け渡し部材
１１６：下縁部
１４０：把持手段
１６２：弾性紐枠
１６３、１６３ｃ：結合部
１８０、１８０ａ：突起
【図１】
0003111884.tif 000003
【図２（ａ）】
0003111884.tif 000004
【図２（ｂ）】
0003111884.tif 000005
【図３】
0003111884.tif 000006
【図４】
0003111884.tif 000007
【図５】
0003111884.tif 000008
【図６】
0003111884.tif 000009
【図７（ａ）】
0003111884.tif 000010
【図７（ｂ）】
0003111884.tif 000011
【図７（ｃ）】
0003111884.tif 000012
【図７（ｄ）】
0003111884.tif 000013
【図８】
0003111884.tif 000014
【図９】
0003111884.tif 000015
【図１０】
0003111884.tif 000016
【図１１】
0003111884.tif 000017
【図１２】
0003111884.tif 000018
【図１３】
0003111884.tif 000019
【図１４】
0003111884.tif 000020
【図１５】
0003111884.tif 000021
【図１６】
0003111884.tif 000022
【図１７】
0003111884.tif 000023
【図１８】
0003111884.tif 000024
【図１９】
0003111884.tif 000025
【図２０】
0003111884.tif 000026
【図２１】
0003111884.tif 000027
【図２２】
0003111884.tif 000028
【図２３】
0003111884.tif 000029
【図２４】
0003111884.tif 000030
【図２５】
0003111884.tif 000031
【図２６】
0003111884.tif 000032
【図２７】
0003111884.tif 000033